(57)【要約】
【課題】ストラップの把持紐部分をスケールとして有効利用する。
【解決手段】ストラップ１の把持紐部２の固定端側基端部にカーソル４を固定し、他端部側をカーソル部４に挿通自在に構成すると共に、固定端側基端部２ａにメジャーのゼロ点を付し挿通自在な他端部側２ｂ連続した目盛り３を付してスケールを形成し、カーソル部４の端面４ａと一致する挿通側２ｂの目盛りを読み取ることにより被測定物の周長測定を可能にする。
【選択図】図１
0003100086.tif 000002
【実用新案登録請求の範囲】
【請求項１】
　かばん、電子機器、携帯電話機、カメラなどの携帯用器具を吊下げる吊り紐で形成されるストラップであって、前記携帯用器具に連結する細紐部と、該細紐部を起点に接続される把持紐部とからなり、該把持紐部の固定端側基端部に該把持紐部の他端部を挿通させて摺動自在にさせるカーソル部を形成し、該把持紐部の外周面に該カーソル部をゼロ点部分とする目盛りを付けたスケール部を形成したことを特徴とするストラップ。
【請求項２】
　前記カーソル部は、前記把持紐部の固定端側基端部に該把持紐部の他端部を挿通させてループ状に構成し、前記把持紐部の固定端側基端部にゼロ点を付し、他端部側に前記ゼロ点を基点とした１ミリ単位の目盛りを形成し、該カーソル部のゼロ点と一致する挿通側の目盛りを読み取ることにより被測定物の周長測定を可能にしたことを特徴とする請求項１記載のストラップ。
【請求項３】
　前記把持紐部が、織編布、プラスチックシート、擬革、皮などの素材で扁平なテープ状に形成されていることを特徴とする請求項１記載のストラップ。
【考案の詳細な説明】
【技術分野】
【０００１】
　本考案は、かばん、電子機器、携帯電話機、カメラなどの携帯用器具に取付けて物の周囲を測定する目盛り付きのストラップに関する。
【背景技術】
【０００２】
　従来より、かばん、電子機器、携帯電話機、カメラなどの携帯用器具等に使用されているストラップ１１は、図５に示すように、携帯電話機１２の端部に取り付け、落下や、忘れることが起きないように持ち持ち歩くことが目的で取付けられている。このストラップは、通常、前記携帯用器具に連結する細紐部１３と、該細紐部１３を起点に接続されるループ状に形成されている把持紐部１４とから構成されている。このループ状の把持紐部１４に人の手首を挿入したり、かばんのベルトに取り付けて使用されている。このため把持紐部１４のループは、手首に巻き付く長さに構成されている。
　このようにストラップは、上記携帯用器具の持ち運びする持ち易さ、身に付ける便利さに対応する構造となっている。
【０００３】
　しかし、ストラップは持ち運び、保管の便利さだけでなく、把持紐部に目盛りを付けて簡易計測用具として使用されている場合もある。例えば把持紐部に取付け基部から目盛りを形設したもの（特許文献１，３，４）、或いは把持紐部にカーソルを摺動自在に取着し、カーソルの移動で測定するもの（特許文献２）などが提案されている。
【０００４】
　これらの特許文献には、ストラップの把持紐部に計測用の目盛りを形設することが開示されているが、特許文献１，４，５は、把持紐部にカーソルが無く単にゼロ点部分をスライドさせて物の周長を計測するものでない。また、特許文献２は、把持紐部のカーソルはゼロ点部分をスライドさせるものでない。
【特許文献１】実用新案登録第３０７８３３１号　図２
【特許文献２】実用新案登録第３０８３７５５号　図１，図２
【特許文献３】実用新案登録第３０６５９８８号　図３
【特許文献４】特開２０００−１９０５７４　図２
【考案の開示】
【考案が解決しようとする課題】
【０００５】
　本考案は、ストラップの帯状の把持紐部に目盛りを付けると共にゼロ点部分を示すカーソルを摺動自在に配設して、簡易な被測定物の測定に使用することを目的とする。
【課題を解決するための手段】
【０００６】
　本考案のストラップに係る請求項１は、かばん、電子機器、携帯電話機、カメラなどの携帯用器具を吊下げる吊り紐で形成されるストラップであって、前記携帯用器具に連結する細紐部と、該細紐部を起点に接続される把持紐部とからなり、該把持紐部の固定端側基端部に該把持紐部の他端部を挿通させて摺動自在にさせるカーソル部を形成し、該把持紐部の外周面に該カーソル部をゼロ点部分とする目盛りを付けたスケール部を形成したことを特徴とする。
　請求項２の考案は、前記カーソル部が、前記把持紐部の固定端側基端部に該把持紐部の他端部を挿通させてループ状に構成し、前記把持紐部の固定端側基端部にゼロ点を付し、他端部側に前記ゼロ点を基点とした１ミリ単位の目盛りを形成し、該カーソル部のゼロ点と一致する挿通側の目盛りを読み取ることにより被測定物の周長測定を可能にしたことを特徴とする。
　請求項３の考案は、前記把持紐部が、織編布、プラスチックシート、擬革、皮などの素材で扁平なテープ状に形成されていることを特徴とする。
【考案の効果】
【０００７】
　本考案のストラップは、把持紐部の固定端側基端部に該把持紐部の多端が摺動自在に挿通するカーソル部が取り付けられているので、把持紐部がスケールの役目をすることになる。すなわち、ループ状に形成されている把持紐部の外表面に１ミリ単位の目盛りが連続形成され、その他端部がカーソル部に挿通自在に構成されているので、ループ状の把持紐部を被測定物に巻回してゼロ点部分をスライドさせて、物の周長を測定することが可能となる。
【０００８】
　また、把持紐部がループ状に構成されているので、把持紐部を被測定物に巻回することが容易であり、被測定物の周長を容易に測定することができる。
【０００９】
　更に、前記把持紐部が、織編布、プラスチックシート、擬革、皮などの素材で扁平なリボン状に形成されいるので、把持紐部の外表面の目盛りの形成が容易であるばかりでなく、メモリーが見易く、従って測定が容易に行える。
【考案を実施するための最良の形態】
【００１０】
　かばん、電子機器、携帯電話機、カメラなどの携帯用器具を吊下げる吊り紐で形成されるストラップであって、前記携帯用器具に連結する細紐部と、該細紐部を起点に接続される扁平なリボン状に形成された織編布、プラスチックシート、擬革、皮などで形成される把持紐部とからなり、該把持紐部の固定端側基端部に該把持紐部の他端部を挿通させたカーソル部を形成したので、該把持持紐部をループ状に形成すると共に、該把持紐部の外周面に該カーソル部から１ミリ単位で、5ミリ毎に中単位とし、10ミリ毎に区切りを付けた目盛りを形成し、前記把持紐部の固定端側基端部にゼロ点を付してあるので、他端部側の前記ゼロ点を基点とした１ミリ単位の目盛りでの計測可能とし、該カーソル部の端面と一致する挿通側の目盛りを読み取ることにより被測定物の周長測定を可能にしたストラップを実現する。
【実施例】
【００１１】
　図１から図４は本考案の一実施例に係り、図１はストラップの一例を示す斜視図、図２は図１の裏面側を示す図、図３は人の手首の周長を測定する例を示す斜視図、図４は容器の周長を測定する例を示す斜視図である。
【００１２】
　本考案のストラップは、かばん、電子機器、携帯電話機、カメラなどの携帯用器具を吊下げる吊り紐で形成されるストラップ１である。ストラップ１は、図１に示すように、携帯用器具に連結する細紐部７と、この細紐部７を起点に接続される扁平なリボン状に形成された織編布、プラスチックシート、擬革、皮などの素材で形成される把持紐部２とからなる。
【００１３】
　この把持紐部２の固定端側基端部に該把持紐部２の他端部を挿通させて、ループ状に構成する。この把持紐部２の固定端側基端部２ａに該把持紐部の他端部２ｂを挿通させたカーソル部４を摺動自在に取着する。把持紐部２の固定端側基端部２ａすなわちカーソル部基部にゼロ点を付し、挿通自在な他端部側に前記ゼロ点を基点とした１ミリ単位で、5ミリ毎に中単位とし、10ミリ毎に区切りを付けた目盛りを付ける。カーソル部４の端面と一致する挿通側の目盛りを読み取ることにより被測定物の周長測定を可能にしたこの把持持紐部２をループ状に形成する。
【００１４】
　そして、把持紐部２の固定端側基端部にゼロ点を付し、挿通自在な他端部側にゼロ点を基点とした上述の１ミリ単位の目盛りを形成する。すなわち、図２に示すように、この把持紐部の外周面にカーソル部４から１ミリ単位で、5ミリ毎に中単位とし、１０ミリ毎に区切りを付けた目盛り３を形成する。このカーソル部４が、把持紐部２の固定端側基端部２ａにゼロ点を付し、挿通自在な他端部側に前記ゼロ点を基点とした１ミリ単位の目盛りを計測可能とし、このカーソル部４の端面と一致する挿通側の目盛りを読み取ることにより被測定物の周長測定を可能にしたものである。
【００１５】
　なお、挿通側２ｂの端部には飾りリング５及び飾り筒６を介して携帯電話機などの携帯用器具等への掛止細紐７が設けられていて、従来のストラップと同様に携帯電話機に掛止して用いることができるように構成されている。
【００１６】
　次に、前記構成のストラップの作用について説明する。
　把持紐部２の固定端側基端部に取着されているカーソル部４の把持紐部４の多端部を引いて把持部紐部２をループ状に形成する。これに、図３に示すように、人の手首９の周長を測定する場合に、スケールに形成されたループ状の把持紐部２に手首9を挿入し、手首９の外周に巻回し、カーソル部４を押さえて挿通側の紐２ｂの開放端を引くことにより把持紐部２が手首９の外周に密着する。その状態でカーソル部４の端面４ａと一致した挿通側のスケールの目盛りを読み取る。これによりゼロ点部分をスライドさせて手首の周長の測定が可能となる。
【００１７】
　また、他の実施例として、図４に示すように、筒状容器８の外周に巻回し、ゼロ点部分をスライドさせて外周の周長を測定する。その他筒状の周長を測定することが可能である。測定の方法は上記図３と同様である。
　なお、本考案のストラップは本実施例にて示した円筒状の容器や人の手首の周長測定に限定されない。
【図面の簡単な説明】
【００１８】
【図１】ストラップの斜視図である。
【図２】図１の裏面側を示す図である。
【図３】人の手首の周長を測定する例を示す図である。
【図４】容器の周長を測定する例を示す図である。
【図５】従来のストラップを示す斜視図である。
【符号の説明】
【００１９】
　１…ストラップ，２…把持紐部，３…スケール，４…カーソル，５…飾りリング，
　６…飾り筒，７…掛止細紐，８…容器，９…手首
【図１】
0003100086.tif 000003
【図２】
0003100086.tif 000004
【図３】
0003100086.tif 000005
【図４】
0003100086.tif 000006
【図５】
0003100086.tif 000007